(57)【要約】【課題】光ファイバの余長処理をきわめて簡単に短時間で行なうことができ、且つ光ファイバを安定した状態で保持できるようにする。【解決手段】光ファイバトレイ２０は、合成樹脂製の基板２１上に内壁２３及び外壁２５ａ〜２５ｃからなる余長処理部２２を設ける。余長処理部２２の側方に巻方向調整用のガイド壁３８を円弧状に形成する。余長処理部２２の近傍にメカニカルスプライス収容部３６ａ、３６ｂ及びＷＤＭフィルタ固定部３５を設ける。基板２１の前端側にドロップケーブル固定部を設け、外部から導入されるドロップケーブルを固定し、心線である光ファイバと内部の光ファイバをメカニカルスプライスにより結合する。そして、光ファイバの余長部分を余長処理部２２の大きさに合わせてリング状に丸め、その上端部を指で摘み、余長処理部２２におけるガイド板２４とツメ２８の間に差し込んで余長処理部２２内に収納する。【選択図】      図１
2007133234.tif 000002
【特許請求の範囲】
【請求項１】
合成樹脂製の基板上に設けられる円状の内壁及び該内壁の外側に沿って略円状に分割して形成される外壁からなり、前記内壁と外壁との間に光ファイバを収納する余長処理部と、前記内壁により形成される円状部を覆うように設けられるガイド板と、前記外壁から前記ガイド板の上部に達するように設けられるガイド用のツメと、前記外壁の外側に所定の間隔を保って円弧状に形成されるガイド壁と、前記基板上に設けられ、光ファイバ結合器を収容する結合器収容部と、前記基板の前端部に設けられるドロップケーブル固定部とを具備し、
前記光ファイバの余長部を前記ガイド壁に沿ってガイドすると共に前記余長処理部の内壁と外壁との間に巻回して余長処理することを特徴とする光ファイバ余長処理装置。
【発明の詳細な説明】
【技術分野】
【０００１】
本発明は、光ファイバの余長処理トレイを備えた光ファイバ余長処理装置に関する。
【背景技術】
【０００２】
近年、ケーブルテレビシステムにおいては、テレビに対するサービスだけでなくインターネットに対するサービスが行なわれるようになってきている。このため高速、大容量のデータ伝送が要求され、伝送線路は同軸ケーブルから光ファイバケーブルに置き換えられてセンターから各加入者までＦＴＴＨ（Fiber to the Home）ネットワークが構築されている。
【０００３】
上記ＦＴＴＨネットワークに対応するため、各加入者宅には光受信ユニットが設置される。光受信ユニットは、外部から内部に導入される光ファイバを融着接続やコネクタ接続等の手段により接続しているが、その際、光ファイバに余長部分が生じるので、その余長部分を余長処理装置によって処理している（例えば特許文献１参照。）。
【０００４】
従来、光受信ユニットにおける光ファイバの余長処理は、ユニット内にファイバトレイを上下方向にスライド可能に設け、このファイバトレイの部分で外部から導入した光ファイバの心線と内部の光ファイバの心線とを融着等により接続し、その余長分を丸めることで余長調整を行なってファイバトレイ内に収める。
【特許文献１】実開平７−３２６０５号公報
【発明の開示】
【発明が解決しようとする課題】
【０００５】
上記従来の光ファイバの余長処理方法では、ユニット内にファイバトレイを設けているので、このファイバトレイ内に光ファイバの余長部分を収納することができるが、単に光ファイバの余長分を丸めてファイバトレイ内に収めるだけであるので、余長部分を確実に保持することができず、余長部分の形状も不安定な状態となっている。このため余長部分が光ファイバの最小曲げ半径を超えた形状となる場合も考えられ、光ファイバを損傷する可能性がある。
【０００６】
本発明は上記の課題を解決するためになされたもので、光ファイバの余長処理をきわめて簡単に短時間で行なうことができ、且つ、光ファイバの最小曲げ半径を保って安定した状態で保持することができる光ファイバ余長処理装置を提供することを目的とする。
【課題を解決するための手段】
【０００７】
本発明に係る光ファイバ余長処理装置は、合成樹脂製の基板上に設けられる円状の内壁及び該内壁の外側に沿って略円状に分割して形成される外壁からなり、前記内壁と外壁との間に光ファイバを収納する余長処理部と、前記内壁により形成される円状部を覆うように設けられるガイド板と、前記外壁から前記ガイド板の上部に達するように設けられるガイド用のツメと、前記外壁の外側に所定の間隔を保って円弧状に形成されるガイド壁と、前記基板上に設けられ、光ファイバ結合器を収容する結合器収容部と、前記基板の前端部に設けられるドロップケーブル固定部とを具備し、前記光ファイバの余長部を前記ガイド壁に沿ってガイドすると共に前記余長処理部の内壁と外壁との間に巻回して余長処理することを特徴とする。
【発明の効果】
【０００８】
本発明によれば、複数の光ファイバを使用してＴＶ信号やインターネットのデータ等を伝送する場合であっても、光ファイバの余長処理をきわめて簡単に短時間で行なうことができる。従って、例えば電柱等の高所に設置した光受信ユニットに対して光ファイバの余長処理を行なう場合であっても、短時間で作業を完了することができる。また、余長処理部は、内壁の半径を光ファイバの最小曲げ半径より大きく設定しているので、光ファイバの最小曲げ半径を保って安定した状態で収納することができる。
【発明を実施するための最良の形態】
【０００９】
以下、図面を参照して本発明の一実施形態を説明する。  
図１は本発明の一実施形態に係る光ファイバの余長処理トレイを備えた光受信ユニットの全体の構成を示す正面図である。なお、図１は、ケースの蓋を開いた状態を示している。
【００１０】
図１において、１０はケース本体で、このケース本体１０の後端側にヒンジ（図示せず）を介して蓋１１が開閉可能に装着される。ケース本体１０内には、後端側に電源部１２が収納される。上記電源部１２は、ケース本体１０に対し、保持金具１３ａ、１３ｂによって着脱可能に設けられる。電源部１２に設けられる電源コード１４は、ケース本体１０内の側部を通ってケース前端側から外部に導出され、その先端に電源プラグ１５が接続される。また、電源部１２の前端側には、直流電圧を出力するコネクタ１６ａ、１６ｂが設けられる。
【００１１】
そして、上記ケース本体１０内には、電源部１２より前端側の空いている部分に受信部１７が装着される。この受信部１７には、電源部１２よりコネクタ１６ａ、１６ｂを介して直流電源が供給される。受信部１７は、例えばＣＡＴＶ受信機であり、周波数帯域７０〜７７０ＭＨｚ（ＣＡＴＶ）、１０００〜２６１０ＭＨｚ（ＣＳ、ＢＳ−ＩＦ）、光波長１３１０ｎｍ、１５５０ｎｍの受信機能を備えている。上記１３１０ｎｍの光波長は映像信号（ＴＶ信号）の伝送に使用され、１５５０ｎｍの光波長はインターネットのデータ伝送（下り信号）に使用される。また、受信部１７から送信されるインターネットの上り信号は、１４９０ｎｍの光波長が使用される。上記受信部１７は、通常は電源部１２からコネクタ１６ａ、１６ｂを介して供給される直流電圧によって動作するが、電源部１２を分離した場合は外部から同軸ケーブルにより供給される直流電源によって動作することが可能である。
【００１２】
受信部１７は、動作表示用のＬＥＤを備えると共に、前端側に高周波出力端子１８ａ、１８ｂを備えている。この高周波出力端子１８ａ、１８ｂは、ケース本体１０の前端側から外部に突出するように設けられる。
【００１３】
更に、上記ケース本体１０内には、受信部１７の上側に位置するように光ファイバトレイ２０が着脱可能に設けられる。すなわち、ケース本体１０には、光ファイバトレイ２０の左上隅に対応する位置に係合部１９が設けられており、この係合部１９によって光ファイバトレイ２０を着脱可能に保持している。
【００１４】
次に、上記光ファイバトレイ２０の詳細な構成について説明する。  
図２は光ファイバトレイ２０の詳細な構成を示し、（ａ）は正面図、（ｂ）は上面図、（ｃ）は下面図である。また、図３（ａ）は図２に示した光ファイバトレイ２０の左側面図、（ｂ）は同右側面図、（ｃ）は同Ａ−Ａ線矢視断面図である。
【００１５】
光ファイバトレイ２０は、例えば合成樹脂を用いて構成している。図２、図３において、２１はベースとなる基板で、略長方形に形成されるが、右側部が斜めに、すなわち後端側（電源部１２側）が広く、前端側が狭くなるように斜めに形成される。
【００１６】
基板２１の後端側、すなわち図１に示した電源部１２が位置する側の中央には、余長処理部２２を構成する円状の内壁２３が設けられる。この円状の内壁２３の半径は、光ファイバの最小曲げ半径あるいはそれ以上の値、例えば約３０ｍｍに設定される。内壁２３は、後端側が高く、前端側が低くなるように傾斜を持たせて形成される。この円状の内壁２３の上端には、余長処理する光ファイバを所定位置にガイドするための略半円状のガイド板２４が設けられる。
【００１７】
また、基板２１には、内壁２３の外側に円弧状の外壁２５ａ〜２５ｃが設けられる。この外壁２５ａ〜２５ｃは、例えば内壁２３の右上、下、左下の位置に設けられ、高さが内壁２３の傾斜角に合わせて形成される。外壁２５ａ〜２５ｃは、半径が約３５ｍｍに設定され、その中心は内壁２３の中心より下方（前端側）に変位して設けられる。上記内壁２３と外壁２５ａ〜２５ｃとの間には、光ファイバ収納部２６が形成される。
【００１８】
上記内壁２３の右上に位置する外壁２５ａには、光ファイバ収納部２６に収納された光ファイバを押えるための小さいツメ２７が設けられる。また、内壁２３の下側に位置する外壁２５ｂには、ガイド板２４の略中央まで達する大きいツメ２８が設けられる。ツメ２８は、ガイド板２４の傾斜角と一致するように斜めに形成され、先端部が上方に数度の角度で折り曲げられる。この場合、ツメ２８とガイド板２４との間には、所定の間隙が形成され、この間隙より光ファイバを光ファイバ収納部２６に収納できるようになっている。上記ツメ２８は、弾性力を有しており、先端折り曲げ部２８ａを指で上方に持ち上げることが可能となっている。また、ガイド板２４及び光ファイバ収納部２６には、ツメ２８に対応する部分に切欠き２９が設けられる。更に、光ファイバ収納部２６には、切欠き２９の両側に余長調整溝３０ａ、３０ｂが設けられる。
【００１９】
更に、基板２１の左側及び余長処理部２２の内壁２３の上部近傍を通って右上隅に達するように光ファイバのガイド壁３１が設けられる。このガイド壁３１は、内壁２３の近傍（左上方部位）において、内壁２３に形状に合わせて円弧状に形成される。また、内壁２３の上端とガイド壁３１との間に所定の間隙が設けられ、この間隙内を光ファイバが挿通できるようになっている。上記内壁２３の上端とガイド壁３１には、間隙内に収納した光ファイバを押えるために小さいツメ３２ａ、３２ｂが設けられる。更に、ガイド壁３１には、左上隅及び右上隅に光ファイバを押えるためのツメ３３ａ、３３ｂが設けられる。
【００２０】
また、余長処理部２２の外壁２５ｂ、２５ｃ間に光ファイバを挿通させるための間隙が設けられる。外壁２５ｂの左端は、左下斜めに円弧状に延長され、その先端にツメ３４ａが設けられる。また、このツメ３４ａに対応させてガイド壁３１側にもツメ３４ｂが所定の間隔で設けられる。外壁２５ｂの右端側は、下方に少し折り曲げられ、この折り曲げ部に対して所定の間隔でＷＤＭフィルタ固定部３５が設けられる。
【００２１】
また、上記外壁２５ｃの左端側に接してメカニカルスプライス収容部３６ａ、３６ｂが設けられる。メカニカルスプライス収容部３６ａには、メカニカルスプライスが上下に２段収容でき、メカニカルスプライス収容部３６ｂはメカニカルスプライスが１つ収容できる。メカニカルスプライス収容部３６ｂは、基板２１上に所定の間隔で設けられており、内壁２３方向に向けて小さいツメ３７が形成される。なお、メカニカルスプライス収容部３６ａ、３６ｂには、メカニカルスプライスの他、融着スリーブを装着することが可能である。
【００２２】
更に、基板２１には、余長処理部２２の外壁２５ｂの下方（前端側）にガイド壁３８が円弧状に設けられる。上記ガイド壁３８の内側中央には、外壁２５ｂ方向に向けてツメ３９が設けられると共に、このツメ３９に対応するように切欠き４１が基板２１に設けられる。上記ガイド壁３８は、ＷＤＭフィルタ固定部３５に固定されるＷＤＭフィルタとメカニカルスプライス収容部３６ａ、３６ｂに収納されるメカニカルスプライスとの間に設けられる光ファイバをガイドするためのものである。
【００２３】
また、基板２１には、前端側の左隅部にドロップケーブル固定部４２が設けられる。すなわち、基板２１の前端側の左隅部には、ドロップケーブル挿通用の溝４３ａ、４３ｂが設けられ、その上方にケーブル固定板４４がねじ４５ａ、４５ｂにより固定される。この場合、ケーブル固定板４４には、ねじ４５ａ側に先端開放の溝（図示せず）が設けられると共に、ねじ４５ｂ側に長穴４６が設けられており、ねじ４５ａ、４５ｂを緩めるだけでケーブル固定板４４を回動させて溝４３ａ、４３ｂ内にドロップケーブルを挿入できるようになっている。
【００２４】
また、基板２１には、後端側の左上隅に係合用突部４７が設けられる。更に基板２１の裏面には、前端側に半球状の支持部４８ａ、４８ｂが所定の間隔で設けられる。
【００２５】
上記のように構成された光ファイバトレイ２０は、図１に示すようにケース本体１０内に収納して使用する。この場合、光ファイバトレイ２０は、ケース本体１０内に収納されている受信部１７上に載置するが、先ず、前端部をケース本体１０の前端内側に設けられている係止部に係止させ、その後、後端側の係合用突部４７をケース本体１０の係合部１９に係合させる。このとき光ファイバトレイ２０の係合用突部４７を上方から押圧することによって係合用突部４７が係合部１９に保持される。係合部１９は弾性力を利用して光ファイバトレイ２０の係合用突部４７を保持しているので、光ファイバトレイ２０をケース本体１０から取り出す際は、係合部１９の上端に電源部１２方向へ力を加えることによって係合用突部４７との係合状態を解除することができる。
【００２６】
図１では、１本のドロップケーブル５１を光ファイバトレイ２０の溝４３ａに装着し、ケーブル固定板４４及びねじ４５ａ、４５ｂにより固定した状態を示している。上記ドロップケーブル５１は、ドロップケーブル５１の心線である光ファイバ５１ａが光ファイバトレイ２０内に導入され、内部の光ファイバ５３が光ファイバ結合器例えばメカニカルスプライス５４により接合される。このメカニカルスプライス５４は、メカニカルスプライス収容部３６ａに収容される。上記内部の光ファイバ５３の他端には、光コネクタ５５が接続されている。この光コネクタ５５は、受側光コネクタ５６に結合され、その出力端が受信部１７に接続される。上記光ファイバ５１ａ、５３の余長部分は、丸めて余長処理部２２に収納される。
【００２７】
次に、上記ドロップケーブル５１の心線である光ファイバ５１ａと内部の光ファイバ５３を余長処理する場合の手順について、図４（ａ）、（ｂ）を参照して説明する。
【００２８】
先ず、ドロップケーブル５１を光ファイバトレイ２０の溝４３ａ内に挿入し、ケーブル固定板４４及びねじ４５ａ、４５ｂにより固定する。次いでドロップケーブル５１の光ファイバ５１ａと内部の光ファイバ５３とをメカニカルスプライス５４により結合し、このメカニカルスプライス５４をメカニカルスプライス収容部３６ａに収容する。また、光ファイバ５３に接続されている光コネクタ５５を受側光コネクタ５６に結合する。この状態で、図４（ａ）に示すように光ファイバ５１ａ、５３の余長部分を余長処理部２２の大きさに合わせてリング状に丸め、この丸めた余長部６１の上端部６２を指で摘み、下側を矢印ａで示すように余長処理部２２におけるガイド板２４とツメ２８の間に差し込むと共に、上端部６２を矢印ｂで示すように内壁２３の上部に設けられたツメ３２ａ、３２ｂの間から差し込んで、余長部６１を光ファイバ収納部２６に収納する。この光ファイバ収納部２６に収納した光ファイバ５１ａ、５３の余長部６１は、内壁２３及び外壁２５ａ〜２５ｃに設けたツメ２７、２８、３２ａ、３２ｂ、３３ａ等によって余長処理部２２から外に出ないように押えられる。
【００２９】
次に、図４（ｂ）に示すように余長処理部２２に設けた余長調整溝３０ａ、３０ｂの部分において、光ファイバの余長部６１の内側に指を掛けて矢印ｃで示すように外側に引張り、余長部６１における光ファイバの長さを調整する。上記内壁２３の半径は３０ｍｍ、外壁２５ａ〜２５ｃの半径は３５ｍｍで、その円周長の差が約３０ｍｍとなっているので、１周あたり約３０ｍｍの長さ調整が可能である。
【００３０】
上記のように光ファイバ５１ａ、５３の余長部６１を簡単に余長処理部２２に収納でき、且つ、その長さ調整もきわめて容易に行なうことができる。従って、例えば電柱等の高所に設置した光受信ユニットに対して光ファイバ５１ａ、５３の余長処理を行なう場合であっても、短時間で作業を完了することができる。また、光ファイバトレイ２０は、ケース本体１０に着脱可能に設けられているので、光ファイバトレイ２０を光受信ユニットのケース本体１０から取り外し、地上で光ファイバ５１ａ、５３の余長処理を行なった後、高所に設けられている光受信ユニットに装着することも可能である。
【００３１】
次に、光ファイバトレイ２０における光ファイバの巻き方の例について図５〜図８を参照して説明する。  
図５は、１本のドロップケーブル５１によりＴＶ信号（映像信号）を受信する場合の例を示したもので、（ａ）は光ファイバの接続構成、（ｂ）は光ファイバの巻き方を示している。この場合の例では、図５（ａ）に示すようにドロップケーブル５１の光ファイバ５１ａと内部の光ファイバ５３をメカニカルスプライス５４で結合し、内部の光ファイバ５３を光コネクタ５５に接続している。上記メカニカルスプライス５４は、メカニカルスプライス収容部３６ａに収容する。
【００３２】
図５（ｂ）に示すように外部から導入されるドロップケーブル５１は、光ファイバトレイ２０のドロップケーブル固定部４２に固定される。ドロップケーブル５１の光ファイバ５１ａは、ガイド壁３１に沿って上方に導かれ、ガイド壁３１と余長処理部２２の内壁２３の上部との間に形成された間隙を通って内壁２３の外周、すなわち光ファイバ収納部２６に右回りで巻回される。この内壁２３の外周に巻回された光ファイバ５１ａは、内壁２３の右側から外壁２５ｂとＷＤＭフィルタ固定部３５の間を通って下方に導かれ、更にガイド壁３８に沿ってメカニカルスプライス収容部３６ａまで導かれ、メカニカルスプライス５４を介して内部の光ファイバ５３と結合される。この光ファイバ５３は、余長処理部２２の内壁２３に右回りで巻回され、内壁２３の上部と外壁２５ａとの間から余長処理部２２の外に導出される。そして、この光ファイバ５３の先端に接続されている光コネクタ５５が受側光コネクタ５６に結合される。
【００３３】
上記のようにドロップケーブル５１の光ファイバ５１ａにより送られてきたＴＶ信号は、メカニカルスプライス５４を介して内部の光ファイバ５３に結合され、光コネクタ５５及び受側光コネクタ５６を介して受信部１７へ送られる。
【００３４】
図６は、２本のドロップケーブル５１、５２を使用してＴＶ信号及びインターネットのデータを処理する場合の例を示したもので、（ａ）は光ファイバの接続構成、（ｂ）は光ファイバの巻き方を示している。なお、この例では、受信部１７はＴＶ信号についてのみ受信し、インターネットのデータについては受信せずに他の機器に伝送する場合の例について示している。
【００３５】
図６（ａ）に示すように、ドロップケーブル５１は、２心の光ファイバ５１ａ、５１ｂからなり、一方の光ファイバ５１ａはＴＶ信号を伝送し、他方の光ファイバ５１ｂはインターネットのデータを伝送する。また、ドロップケーブル５２は、上記光ファイバ５１ｂにより送られてきたインターネットのデータを他の機器例えば光受信ユニットへ伝送するためのものである。
【００３６】
上記ドロップケーブル５１の光ファイバ５１ａと内部の光ファイバ５３をメカニカルスプライス５４ａで結合し、上記光ファイバ５３を光コネクタ５５に接続する。また、光ファイバ５１ｂはメカニカルスプライス５４ｂを介してドロップケーブル５２の光ファイバ５２ａに接続する。上記メカニカルスプライス５４ａ、５４ｂは、例えばメカニカルスプライス収容部３６ａに重ねて収容する。
【００３７】
図６（ｂ）に示すように外部から導入されるドロップケーブル５１、５２は、光ファイバトレイ２０のドロップケーブル固定部４２に固定される。ドロップケーブル５１の一方の光ファイバ５１ａは、図５の場合と同様の方法で余長処理部２２に巻回して余長処理され、メカニカルスプライス５４ａにより内部の光ファイバ５３と結合して光コネクタ５５に接続される。
【００３８】
また、ドロップケーブル５１の他方の光ファイバ５１ｂは、光ファイバトレイ２０のガイド壁３１に沿って上方に導かれ、ガイド壁３１と余長処理部２２の内壁２３の上部との間に形成された間隙を通って内壁２３の外周に右回りで巻回される。この内壁２３の外周に巻回した光ファイバ５１ｂは、外壁２５ｂとＷＤＭフィルタ固定部３５との間を通って下方に導かれ、更にガイド壁３８に沿ってメカニカルスプライス収容部３６ａまで導かれる。
【００３９】
一方、ドロップケーブル５２の光ファイバ５２ａは、余長処理部２２の外壁２５ｂと外壁２５ｃとの間から光ファイバ収納部２６に導入され、内壁２３の外周に左回りで巻回される。この光ファイバ５２ａは、内壁２３の上部からメカニカルスプライス収容部３６ａの上端部まで導かれ、メカニカルスプライス５４ｂを介して上記ドロップケーブル５１の光ファイバ５１ｂと結合される。
【００４０】
上記のようにドロップケーブル５１の光ファイバ５１ａにより送られてきたＴＶ信号は、メカニカルスプライス５４ａを介して内部の光ファイバ５３に結合され、光コネクタ５５及び受側光コネクタ５６を介して受信部１７へ送られる。
【００４１】
また、ドロップケーブル５１の光ファイバ５１ｂにより送られてきたインターネットのデータは、メカニカルスプライス５４ｂを介してドロップケーブル５２の光ファイバ５２ａに結合され、ドロップケーブル５２により他の機器へ伝送される。
【００４２】
図７は、２本のドロップケーブル５１、５２により伝送されるＴＶ信号及びインターネットのデータをＷＤＭフィルタ５７により分離して処理する場合で、（ａ）は光ファイバの接続構成、（ｂ）は光ファイバの巻き方を示している。なお、この例では、図６の場合と同様に受信部１７はＴＶ信号についてのみ受信し、インターネットのデータについては受信せずに他の機器に伝送する場合の例について示している。
【００４３】
上記ドロップケーブル５１はＴＶ信号とインターネットのデータを含むコモン信号（ＣＯＭ）を伝送し、ドロップケーブル５２はインターネットのデータのみを伝送する。  
ドロップケーブル５１によりコモン信号が送られてくる場合、図７（ｂ）に示すようにＷＤＭフィルタ固定部３５にＷＤＭフィルタ５７を固定して設け、コモン信号に含まれるＴＶ信号とインターネットのデータに分離する。上記ＷＤＭフィルタ５７は、この場合の例では一方の端部にコモン信号入力端子とデータ出力端子が設けられ、他方の端部に映像出力端子が設けられている。上記ＷＤＭフィルタ５７は、コモン信号入力端子とデータ出力端子が上部に位置するようにＷＤＭフィルタ固定部３５に固定される。
【００４４】
そして、図７（ａ）に示すようにコモン信号（ＣＯＭ）を伝送するドロップケーブル５１の光ファイバ５１ａと内部の光ファイバ５３ａをメカニカルスプライス５４ａで結合し、内部の光ファイバ５３ａをＷＤＭフィルタ５７のコモン信号（ＣＯＭ）入力端子に接続する。このＷＤＭフィルタ５７の映像出力端子は、光ファイバ５３ｂを介してメカニカルスプライス５４ｃに結合し、このメカニカルスプライス５４ｃから光ファイバ５３ｃを介して光コネクタ５５に接続する。また、ＷＤＭフィルタ５７のデータ出力端子に光ファイバ５３ｄを接続し、この光ファイバ５３ｄとドロップケーブル５２の光ファイバ５２ａとの間をメカニカルスプライス５４ｂで結合する。
【００４５】
上記メカニカルスプライス５４ａ、５４ｂは、メカニカルスプライス収容部３６ａに重ねて収容し、メカニカルスプライス５４ｃはメカニカルスプライス収容部３６ｂに収容する。
【００４６】
図７（ｂ）に示すように外部から導入されるドロップケーブル５１、５２は、光ファイバトレイ２０のドロップケーブル固定部４２に固定される。上記ドロップケーブル５１の光ファイバ５１ａ（コモン信号）は、光ファイバトレイ２０のガイド壁３１に沿って上方に導かれ、ガイド壁３１と余長処理部２２の内壁２３の上部との間に形成された間隙を通って内壁２３の外周に右回りで巻回される。この内壁２３に巻回された光ファイバ５１ａは、外壁２５ｂとＷＤＭフィルタ固定部３５との間からガイド壁３８に沿ってメカニカルスプライス収容部３６ａまで導かれ、メカニカルスプライス５４ａを介して内部の光ファイバ５３ａと結合される。この光ファイバ５３ａは、余長処理部２２の内壁２３に右回りで巻回され、ＷＤＭフィルタ固定部３５に固定されているＷＤＭフィルタ５７のコモン信号入力端子（上端側）に接続される。このＷＤＭフィルタ５７の下端側に設けられている映像出力端子には、光ファイバ５３ｂが接続される。この光ファイバ５３ｂは、ガイド壁３８に沿ってメカニカルスプライス収容部３６ｂまで導かれ、メカニカルスプライス５４ｃにより光ファイバ５３ｃと結合される。この光ファイバ５３ｃは、余長処理部２２の内壁２３の外周に右回りで巻回された後、内壁２３の上部と外壁２５ａとの間から余長処理部２２の外に導出され、その先端に設けられている光コネクタ５５が受側光コネクタ５６に結合される。
【００４７】
また、ＷＤＭフィルタ５７のデータ出力端子（上端側）には光ファイバ５３ｄが接続される。この光ファイバ５３ｄは、余長処理部２２の内壁２３に左回りで巻回された後、内壁２３の上側からメカニカルスプライス収容部３６ａまで導かれ、メカニカルスプライス５４ｂの上端側に結合される。
【００４８】
一方、インターネットのデータを伝送するドロップケーブル５２の光ファイバ５２ａは、光ファイバトレイ２０のガイド壁３１に沿って上方に導かれ、ガイド壁３１と余長処理部２２の内壁２３の上部との間に形成された間隙を通って内壁２３の外周に右回りで巻回される。この内壁２３に巻回された光ファイバ５２ａは、外壁２５ｂとＷＤＭフィルタ固定部３５との間を通って下方に導かれ、ガイド壁３８を経由してメカニカルスプライス５４ｂの下端側に結合される。
【００４９】
上記のようにドロップケーブル５１の光ファイバ５１ａにより送られてきたコモン信号は、メカニカルスプライス５４ａ及び光ファイバ５３ａを介してＷＤＭフィルタ５７に入力され、映像信号とインターネットのデータに分離される。ＷＤＭフィルタ５７で分離された映像信号は、光ファイバ５３ｂ、メカニカルスプライス５４ｃ、光ファイバ５３ｃ、光コネクタ５５及び受側光コネクタ５６を介して受信部１７へ送られる。
【００５０】
また、ＷＤＭフィルタ５７で分離されたインターネットのデータは、光ファイバ５３ｄによりメカニカルスプライス５４ｂを介してドロップケーブル５２の光ファイバ５２ａに結合され、ドロップケーブル５２により他の機器へ伝送される。
【００５１】
図８は、上記図７と同様に光ファイバトレイ２０にＷＤＭフィルタ５７を実装する場合において、ＷＤＭフィルタ５７の入出力端子の位置が異なる場合の例について示したものである。図８（ａ）は光ファイバの接続構成、（ｂ）は光ファイバの巻き方を示している。この場合のＷＤＭフィルタ５７は、一方の端部にコモン信号入力端子と映像出力端子が設けられ、他方の端部にデータ出力端子が設けられている。上記ＷＤＭフィルタ５７は、図８（ｂ）に示すようにデータ出力端子が上方に位置するようにＷＤＭフィルタ固定部３５に固定される。
【００５２】
ドロップケーブル５１、５２、内部の光ファイバ５３ａ〜５３ｄ及びメカニカルスプライス５４ａ〜５４ｃの接続関係及びメカニカルスプライス５４ａ〜５４ｃの収容位置は、図７の場合と同じである。
【００５３】
図８（ｂ）に示すように外部から導入されるドロップケーブル５１、５２は、光ファイバトレイ２０のドロップケーブル固定部４２に固定される。ドロップケーブル５１の光ファイバ５１ａ（コモン信号）は、外壁２５ｂと外壁２５ｃの間から余長処理部２２に導かれ、内壁２３の外周に左回りで巻回される。この内壁２３に巻回された光ファイバ５１ａは、内壁２３の上部からメカニカルスプライス収容部３６ａ方向の導かれ、メカニカルスプライス５４ａを介して内部の光ファイバ５３ａに結合される。この光ファイバ５３ａは、ＷＤＭフィルタ５７の下側に設けられているコモン接続端子に接続される。
【００５４】
また、ＷＤＭフィルタ５７の下側に設けられている映像出力端子には、光ファイバ５３ｂが接続される。この光ファイバ５３ｂは、ガイド壁３８を通ってメカニカルスプライス５４ｃを介して光ファイバ５３ｃに結合され、更に余長処理部２２の上部から内壁２３の外周に右回りで巻回される。この内壁２３の外周に巻回された光ファイバ５３ｃは、内壁２３の上部と外壁２５ａとの間から余長処理部２２の外に導出され、先端に設けられている光コネクタ５５が受側光コネクタ５６に結合される。
【００５５】
また、ＷＤＭフィルタ５７の上側に設けられているデータ出力端子には、光ファイバ５３ｄが接続される。この光ファイバ５３ｄは、余長処理部２２の内壁２３の外周に左回りで巻回され、内壁２３の上部からメカニカルスプライス収容部３６ａまで導かれてメカニカルスプライス５４ｂに結合される。
【００５６】
一方、ドロップケーブル５２の光ファイバ５２ａは、光ファイバトレイ２０のガイド壁３１に沿って上方に導かれ、ガイド壁３１と余長処理部２２の内壁２３の上部との間に形成された間隙を通って内壁２３の外周に右回りで巻回される。この内壁２３の外周に巻回された光ファイバ５２ａは、外壁２５ｂとＷＤＭフィルタ固定部３５との間を通り、ガイド壁３８に沿ってメカニカルスプライス収容部３６ａまで導かれ、メカニカルスプライス５４ｂを介して上記光ファイバ５３ｄと結合される。
【００５７】
上記のようにドロップケーブル５１の光ファイバ５１ａにより送られてきたコモン信号は、メカニカルスプライス５４ａ及び光ファイバ５３ａを介してＷＤＭフィルタ５７に入力され、映像信号とインターネットのデータに分離される。ＷＤＭフィルタ５７で分離された映像信号は、光ファイバ５３ｂ、メカニカルスプライス５４ｃ、光ファイバ５３ｃ、光コネクタ５５及び受側光コネクタ５６を介して受信部１７へ送られる。
【００５８】
また、ＷＤＭフィルタ５７で分離されたインターネットのデータは、光ファイバ５３ｄよりメカニカルスプライス５４ｂを介してドロップケーブル５２の光ファイバ５２ａに結合され、ドロップケーブル５２により他の機器へ伝送される。
【００５９】
上記図４ないし図８は、光ファイバトレイ２０に対する光ファイバの収容例を示したものであり、その他の巻順で収容しても差し支えはない。
【００６０】
上記実施形態によれば、複数の光ファイバを使用してＴＶ信号やインターネットのデータ等を伝送する場合であっても、光ファイバの余長処理をきわめて簡単に短時間で行なうことができる。従って、例えば電柱等の高所に設置した光受信ユニットに対して光ファイバの余長処理を行なう場合であっても、短時間で作業を完了することができる。また、光ファイバトレイ２０は、ケース本体１０に着脱可能に設けられているので、光ファイバトレイ２０を光受信ユニットのケース本体１０から取り外し、地上で光ファイバの余長処理を行なった後、高所に設けられている光受信ユニットに装着することも可能である。また、余長処理部２２は、内壁２３の半径を光ファイバの最小曲げ半径より大きく設定しているので、光ファイバの最小曲げ半径を保って安定した状態で収納することができる。
【００６１】
なお、上記実施形態では、メカニカルスプライスを用いて光ファイバを結合する場合について示したが、その他、融着スリーブを用いて光ファイバを結合しても良い。
【００６２】
また、上記実施形態では、受信部１７はインターネットのデータを受信しない場合について示したが、受信部１７がインターネットのデータを受信する場合であっても、上記実施形態と同様にして余長処理することが可能である。
【００６３】
また、本発明は、上記実施形態そのままに限定されるものではなく、実施段階ではその要旨を逸脱しない範囲で構成要素を変形して具体化できるものである。
【図面の簡単な説明】
【００６４】
【図１】本発明の一実施形態に係る光ファイバの余長処理トレイを備えた光受信ユニットの全体の構成を示す正面図である。
【図２】同実施形態における光ファイバトレイの詳細な構成を示し、（ａ）は正面図、（ｂ）は上面図、（ｃ）は下面図である。
【図３】同実施形態における光ファイバトレイの詳細な構成を示し、（ａ）は左側面図、（ｂ）は右側面図、（ｃ）は図２（ａ）のＡ−Ａ線矢視断面図である。
【図４】同実施形態における光ファイバの余長処理手順を示す図である。
【図５】同実施形態において、１本のドロップケーブルにより送られてくるＴＶ信号を受信する場合の光ファイバ収容例を示す図である。
【図６】同実施形態にいて、２心のドロップケーブルにより送られてくるＴＶ信号及びインターネットのデータを受信する場合の光ファイバ収容例を示す図である。
【図７】同実施形態において、２本のドロップケーブルにより送られてくるＴＶ信号及びインターネットのデータをＷＤＭフィルタにより分離して処理する場合の光ファイバ収容例を示す図である。
【図８】同実施形態において、２本のドロップケーブルにより送られてくるＴＶ信号及びインターネットのデータをＷＤＭフィルタにより分離して処理する場合の他の光ファイバ収容例を示す図である。
【符号の説明】
【００６５】
１０…ケース本体、１１…蓋、１２…電源部、１３ａ、１３ｂ…保持金具、１４…電源コード、１５…電源プラグ、１６ａ、１６ｂ…コネクタ、１７…受信部、１８ａ、１８ｂ…高周波出力端子、１９…係合部、２０…光ファイバトレイ、２１…基板、２２…余長処理部、２３…内壁、２４…ガイド板、２５ａ〜２５ｃ…外壁、２６…光ファイバ収納部、２７、２８…ツメ、２８ａ…先端折り曲げ部、３０ａ、３０ｂ…余長調整溝、３１…ガイド壁、３２ａ、３２ｂ、３３ａ、３３ｂ、３４ａ、３４ｂ…ツメ、３５…ＷＤＭフィルタ固定部、３６ａ、３６ｂ…メカニカルスプライス収容部、３７…ツメ、３８…ガイド壁、３９…ツメ、４１…切欠き、４２…ドロップケーブル固定部、４３ａ、４３ｂ…溝、４４…ケーブル固定板、４６…長穴、４７…係合用突部、４８ａ、４８ｂ…支持部、５１…ドロップケーブル、５１ａ、５１ｂ…光ファイバ、５２…ドロップケーブル、５２ａ…光ファイバ、５３、５３ａ〜５３ｄ…光ファイバ、５４ａ〜５４ｃ…メカニカルスプライス、５５…光コネクタ、５６…受側光コネクタ、５７…ＷＤＭフィルタ、６１…光ファイバの余長部、６２…丸めた余長部の上端部。
【図１】
2007133234.tif 000003
【図２】
2007133234.tif 000004
【図３】
2007133234.tif 000005
【図４】
2007133234.tif 000006
【図５】
2007133234.tif 000007
【図６】
2007133234.tif 000008
【図７】
2007133234.tif 000009
【図８】
2007133234.tif 000010